(57)【要約】【課題】金属色の質感を擬似的に表現することができる印刷物、印刷物の製造方法、画像形成装置及びプログラムを提供する。【解決手段】印刷物１００の一態様は、記録媒体１１０と、記録媒体１１０上にあり、有色色材により形成される有彩色層１２０と、有彩色層１２０の上に存在し、透明材料により形成される透明材料層（クリアトナー層）１３０である第１の領域１３１と、有彩色層１２０の上に存在し、透明材料により形成される透明材料層（クリアトナー層）１３０である第２の領域１３２と、を有し、第１の領域１３１の面積で第１の領域１３１を形成する透明材料の量を割った第１の単位面積あたりの量と、第２の領域１３２の面積で第２の領域１３２を形成する透明材料の量を割った第２の単位面積あたりの量が異なる。【選択図】図１Ｂ
2019104240.tif 000002
【特許請求の範囲】
【請求項１】
記録媒体と、
前記記録媒体上にあり、有色色材により形成される有彩色層と、
前記有彩色層の上に存在し、透明材料により形成される透明材料層である第１の領域と、
前記有彩色層の上に存在し、前記透明材料により形成される透明材料層である第２の領域と、
を有し、
前記第１の領域の面積で前記第１の領域を形成する前記透明材料の量を割った第１の単位面積あたりの量と、前記第２の領域の面積で前記第２の領域を形成する前記透明材料の量を割った第２の単位面積あたりの量が異なることを特徴とする印刷物。
【請求項２】
前記有彩色層は、第１の有彩色領域と、第２の有彩色領域とを有し、
前記第２の有彩色領域の彩度は、前記第１の有彩色領域の彩度よりも高く、
前記第１の領域は前記第１の有彩色領域の上にあり、
前記第２の領域は前記第２の有彩色領域の上にあり、
前記第１の単位面積あたりの量は、前記第２の単位面積あたりの量のより多いことを特徴とする請求項１に記載の印刷物。
【請求項３】
前記第２の領域における前記透明材料の前記第２の単位面積あたりの量はゼロであることを特徴とする請求項１又は２に記載の印刷物。
【請求項４】
前記第１の領域と前記第２の領域とが一定の周期で配列していることを特徴とする請求項１乃至３のいずれか１項に記載の印刷物。
【請求項５】
記録媒体上で有彩色の金属光沢を表現する金属光沢領域の範囲及び色を特定する工程と、
前記特定された範囲及び色に基づく印刷データを作成する工程と、
画像形成装置を用いて、前記印刷データに基づいて、前記記録媒体上に有色色材により有彩色層を形成し、前記有彩色層上に光沢性を有する透明材料層を透明材料により形成する工程と、
を有し、
前記印刷データは、前記透明材料層が第１の領域及び第２の領域を有し、前記第１の領域の面積で前記第１の領域を形成する前記透明材料の量を割った第１の単位面積あたりの量と、前記第２の領域の面積で前記第２の領域を形成する前記透明材料の量を割った第２の単位面積あたりの量が異なることを示す透明材料層用データを含むことを特徴とする印刷物の製造方法。
【請求項６】
前記印刷データを作成する工程は、前記有彩色層が、第１の有彩色領域と、第２の有彩色領域とを有し、前記第２の有彩色領域の彩度が、前記第１の有彩色領域の彩度よりも高くなる有彩色層用データを作成する工程を有し、
前記透明材料層用データは、前記第１の領域が前記第１の有彩色領域の上に形成され、前記第２の領域が前記第２の有彩色領域の上に形成され、前記第１の単位面積あたりの量が、前記第２の単位面積あたりの量のより多いことを示すことを特徴とする請求項５に記載の印刷物の製造方法。
【請求項７】
前記印刷データを作成する工程は、
前記金属光沢領域の色を構成する１又は２以上の有彩色成分を選択する工程と、
前記選択した有彩色成分について、前記第１の有彩色領域に第１の有彩色階調値を設定し、前記第２の有彩色領域に前記第１の有彩色階調値より高い第２の有彩色階調値を設定する工程と、
前記第１の領域に第１の透明階調値を設定し、前記第２の領域に前記第１の透明階調値より低い第２の透明階調値を設定する工程と、
を有することを特徴とする請求項６に記載の印刷物の製造方法。
【請求項８】
前記印刷データを作成する工程は、
前記金属光沢領域の色を構成する１又は２以上の有彩色成分を選択する工程と、
前記選択した有彩色成分の階調値を、第１の値及び前記第１の値より高い第２の値に２値化する処理を行って２値化パターンを作成する工程と、
前記透明材料層用データとして、前記２値化パターンのうち前記第１の値の部分と重なる部分に第１の透明階調値を設定し、前記第２の値の部分と重なる部分に前記第１の透明階調値より低い第２の透明階調値を設定したデータを作成する工程と、
前記選択した有彩色成分の前記金属光沢領域全体における階調値の平均値が前記２値化の前の階調値に近づくように、前記第１の値又は前記第２の値の少なくとも一方を変更した有彩色層用データを作成する工程と、
を有することを特徴とする請求項５に記載の印刷物の製造方法。
【請求項９】
前記第２の領域における前記透明材料の前記第２の単位面積あたりの量をゼロとすることを特徴とする請求項５乃至８のいずれか１項に記載の印刷物の製造方法。
【請求項１０】
前記第１の領域と前記第２の領域とを一定の周期で配列させることを特徴とする請求項５乃至９のいずれか１項に記載の印刷物の製造方法。
【請求項１１】
記録媒体上で有彩色の金属光沢を表現する金属光沢領域の範囲及び色を示す入力データを取得する取得部と、
前記入力データから印刷データを作成する印刷データ作成部と、
前記印刷データに基づいて、前記記録媒体上に有色色材により有彩色層を形成し、前記有彩色層上に光沢性を有する透明材料層を透明材料により形成する印刷部と、
を有し、
前記印刷データは、前記透明材料層が第１の領域及び第２の領域を有し、前記第１の領域の面積で前記第１の領域を形成する前記透明材料の量を割った第１の単位面積あたりの量と、前記第２の領域の面積で前記第２の領域を形成する前記透明材料の量を割った第２の単位面積あたりの量が異なることを示す透明材料層用データを含むことを特徴とする画像形成装置。
【請求項１２】
前記印刷データ作成部は、前記有彩色層が、第１の有彩色領域と、第２の有彩色領域とを有し、前記第２の有彩色領域の彩度が、前記第１の有彩色領域の彩度よりも高くなる有彩色層用データを作成し、
前記透明材料層用データは、前記第１の領域が前記第１の有彩色領域の上に形成され、前記第２の領域が前記第２の有彩色領域の上に形成され、前記第１の単位面積あたりの量が、前記第２の単位面積あたりの量のより多いことを示すことを特徴とする請求項１１に記載の画像形成装置。
【請求項１３】
前記印刷データ作成部は、
前記金属光沢領域の色を構成する１又は２以上の有彩色成分を選択し、
前記選択した有彩色成分について、前記第１の有彩色領域に第１の有彩色階調値を設定し、前記第２の有彩色領域に前記第１の有彩色階調値より高い第２の有彩色階調値を設定し、
前記第１の領域に第１の透明階調値を設定し、前記第２の領域に前記第１の透明階調値より低い第２の透明階調値を設定することを特徴とする請求項１２に記載の画像形成装置。
【請求項１４】
前記印刷データ作成部は、
前記金属光沢領域の色を構成する１又は２以上の有彩色成分を選択し、
前記選択した有彩色成分の階調値を、第１の値及び前記第１の値より高い第２の値に２値化する処理を行って２値化パターンを作成し、
前記透明材料層用データとして、前記２値化パターンのうち前記第１の値の部分と重なる部分に第１の透明階調値を設定し、前記第２の値の部分と重なる部分に前記第１の透明階調値より低い第２の透明階調値を設定したデータを作成し、
前記選択した有彩色成分の前記金属光沢領域全体における階調値の平均値が前記２値化の前の階調値に近づくように、前記第１の値又は前記第２の値の少なくとも一方を変更した有彩色層用データを作成することを特徴とする請求項１１に記載の画像形成装置。
【請求項１５】
コンピュータに、
記録媒体上で有彩色の金属光沢を表現する金属光沢領域の範囲及び色を示す入力データを取得するステップと、
前記入力データから印刷データを作成するステップと、
前記印刷データに基づいて、印刷部に、前記記録媒体上に有色色材により有彩色層を形成させ、前記有彩色層上に光沢性を有する透明材料層を透明材料により形成させるステップと、
を実行させ、
前記印刷データは、前記透明材料層が第１の領域及び第２の領域を有し、前記第１の領域の面積で前記第１の領域を形成する前記透明材料の量を割った第１の単位面積あたりの量と、前記第２の領域の面積で前記第２の領域を形成する前記透明材料の量を割った第２の単位面積あたりの量が異なることを示す透明材料層用データを含むことを特徴とするプログラム。
【請求項１６】
前記印刷データを作成するステップは、前記有彩色層が、第１の有彩色領域と、第２の有彩色領域とを有し、前記第２の有彩色領域の彩度が、前記第１の有彩色領域の彩度よりも高くなる有彩色層用データを作成するステップを有し、
前記透明材料層用データは、前記第１の領域が前記第１の有彩色領域の上に形成され、前記第２の領域が前記第２の有彩色領域の上に形成され、前記第１の単位面積あたりの量が、前記第２の単位面積あたりの量のより多いことを示すことを特徴とする請求項１５に記載のプログラム。
【請求項１７】
前記印刷データを作成するステップは、
前記金属光沢領域の色を構成する１又は２以上の有彩色成分を選択するステップと、
前記選択した有彩色成分について、前記第１の有彩色領域に第１の有彩色階調値を設定し、前記第２の有彩色領域に前記第１の有彩色階調値より高い第２の有彩色階調値を設定するステップと、
前記第１の領域に第１の透明階調値を設定し、前記第２の領域に前記第１の透明階調値より低い第２の透明階調値を設定するステップと、
を有することを特徴とする請求項１６に記載のプログラム。
【請求項１８】
前記印刷データを作成するステップは、
前記金属光沢領域の色を構成する１又は２以上の有彩色成分を選択するステップと、
前記選択した有彩色成分の階調値を、第１の値及び前記第１の値より高い第２の値に２値化する処理を行って２値化パターンを作成するステップと、
前記透明材料層用データとして、前記２値化パターンのうち前記第１の値の部分と重なる部分に第１の透明階調値を設定し、前記第２の値の部分と重なる部分に前記第１の透明階調値より低い第２の透明階調値を設定したデータを作成するステップと、
前記選択した有彩色成分の前記金属光沢領域全体における階調値の平均値が前記２値化の前の階調値に近づくように、前記第１の値又は前記第２の値の少なくとも一方を変更した有彩色層用データを作成するステップと、
を有することを特徴とする請求項１５に記載のプログラム。
【請求項１９】
前記第２の領域における前記透明材料の前記第２の単位面積あたりの量をゼロとすることを特徴とする請求項１５乃至１８のいずれか１項に記載のプログラム。
【請求項２０】
前記第１の領域と前記第２の領域とを一定の周期で配列させることを特徴とする請求項１５乃至１９のいずれか１項に記載のプログラム。
【発明の詳細な説明】
【技術分野】
【０００１】
本発明は、印刷物、印刷物の製造方法、画像形成装置及びプログラムに関する。
【背景技術】
【０００２】
電子写真方式やインクジェット方式などの画像形成装置を用いて、金属色の図柄を記録媒体上に印刷することが試みられている。例えば、シアン（Ｃ）、マゼンダ（Ｍ）、イエロー（Ｙ）及びブラック（Ｋ）の４色の色材に加えて、金色等のメタリックの色材を用いて印刷を行うことが試みられている。しかし、従来のメタリックの色材を用いても十分な金属光沢を得ることができない。
【０００３】
金属光沢を擬似的に実現するために、光沢性を有する透明材料を用いて印刷を行うことも試みられている。光沢性を有する透明材料を用いることで印刷物の表面の平滑性が向上し、印刷物の光沢を高めることができる。例えば、注目画素のＲＧＢデータ及び色分解ＬＵＴを参照して、ＣＭＹＫ値及び光沢性を有する透明材料のＣＬ値を求め、拡散光の色相と正反射光の色相とが一致した画像の印刷を行うことが提案されている。
【発明の概要】
【発明が解決しようとする課題】
【０００４】
しかしながら、これまでの技術では、光沢性を有する透明材料を用いることで光沢を高めることはできるものの、金属色の質感を表現することは困難である。
【０００５】
本発明は、金属色の質感を擬似的に表現することができる印刷物、印刷物の製造方法、画像形成装置及びプログラムを提供することを目的とする。
【課題を解決するための手段】
【０００６】
本発明者は、上記課題を解決すべく鋭意検討を行った。この結果、光沢性を有する透明材料を用いて有彩色の金属光沢を擬似的に表現しようとすると、有彩色の彩度が不足していることが判明した。また、彩度の不足の原因として、光沢性を有する透明材料の層による正反射光が過剰で、有色色材の層による正反射光が不足していることが判明した。更に、光沢性を有する透明材料の層において、透明材料の層の面積で、透明材料の層の材料の量を割った単位面積あたりの量に変化を持たせることで、光沢性を有する透明材料による過剰な正反射光が抑制されるとともに、有色色材の層による正反射光が強められて、彩度が著しく向上することが見出された。そして、本発明者は下記の発明の一態様に想到した。
【０００７】
印刷物の一態様は、記録媒体と、前記記録媒体上にあり、有色色材により形成される有彩色層と、前記有彩色層の上に存在し、透明材料により形成される透明材料層である第１の領域と、前記有彩色層の上に存在し、前記透明材料により形成される透明材料層である第２の領域と、を有し、前記第１の領域の面積で前記第１の領域を形成する前記透明材料の量を割った第１の単位面積あたりの量と、前記第２の領域の面積で前記第２の領域を形成する前記透明材料の量を割った第２の単位面積あたりの量が異なることを特徴とする。
【発明の効果】
【０００８】
本発明によれば、金属色の質感を擬似的に表現することができる。
【図面の簡単な説明】
【０００９】
【図１Ａ】第１の実施形態に係る印刷物の構成を示す模式的平面図である。
【図１Ｂ】図１Ａ中のＩ−Ｉ線に沿った模式的断面図である。
【図２】第１の実施形態に係る印刷物の作用を示す模式図である。
【図３】第２の実施形態により製造しようとする印刷物の概要を示す模式図である。
【図４】第２の実施形態に係る印刷物の製造方法を示すフローチャートである。
【図５Ａ】第２の実施形態に係る印刷物の製造方法を示す模式図である。
【図５Ｂ】図５Ａに引き続き、第２の実施形態に係る印刷物の製造方法を示す模式図である。
【図５Ｃ】図５Ｂに引き続き、第２の実施形態に係る印刷物の製造方法を示す模式図である。
【図５Ｄ】図５Ｃに引き続き、第２の実施形態に係る印刷物の製造方法を示す模式図である。
【図５Ｅ】図５Ｄに引き続き、第２の実施形態に係る印刷物の製造方法を示す模式図である。
【図５Ｆ】図５Ｅに引き続き、第２の実施形態に係る印刷物の製造方法を示す模式図である。
【図６】第３の実施形態に係る画像形成装置のハードウェア構成を示すブロック図である。
【図７】第３の実施形態に係る画像形成装置の機能構成を示す図である。
【発明を実施するための形態】
【００１０】
以下、図面を参照しながら、本発明の実施形態について説明する。なお以下では光沢性を有する透明材料の例としてクリアトナーを、有色色材の例として有彩色トナーを挙げているが、本発明はトナーに限らず、例えばインクなどを用いた場合にも適用可能である。
【００１１】
（第１の実施形態）
まず、第１の実施形態について説明する。第１の実施形態は印刷物に関する。図１Ａは、第１の実施形態に係る印刷物の構成を示す模式的平面図であり、図１Ｂは、図１Ａ中のＩ−Ｉ線に沿った模式的断面図である。
【００１２】
第１の実施形態に係る印刷物１００は、記録媒体１１０と、記録媒体１１０上の有彩色トナー層１２０と、有彩色トナー層１２０上のクリアトナー層１３０と、を有する。有彩色トナー層１２０は、第１の有彩色領域１２１及び第２の有彩色領域１２２を含む。例えば、第１の有彩色領域１２１及び第２の有彩色領域１２２は交互に配列している。本実施形態では、第２の有彩色領域１２２の彩度Ｓ２が第１の有彩色領域１２１の彩度Ｓ１より高い。透明材料で形成される層であるクリアトナー層１３０（透明材料層）は、平面視で第１の有彩色領域１２１と重なる第１の領域１３１及び平面視で第２の有彩色領域１２２と重なる第２の領域１３２を含む。本実施形態では、第２の領域１３２の面積で第２の領域１３２のクリアトナーの量を割った第２の単位面積あたりの量ｔ２は、第１の領域１３１の面積で第１の領域１３１のクリアトナーの量を割った第１の単位面積あたりの量ｔ１より少ない。好ましくは、第２の領域１３２における第２の単位面積あたりのクリアトナーの量ｔ２はゼロである。記録媒体１１０は、上質紙、グロスコート紙、マットコート紙、ＯＨＰ、プラスチックフィルム等である。
【００１３】
なお、有彩色トナー層１２０は、シアン（Ｃ）、マゼンダ（Ｍ）若しくはイエロー（Ｙ）又はこれらの任意の組み合わせのトナーを含み、更にブラック（Ｋ）のトナーを含んでいてもよい。クリアトナー層１３０は、クリアトナーを用いて形成された層であり、クリアトナーは、一般的に、顔料等の色材が含まれていない無色透明のトナーであるが、クリアトナーは、全光線透過率が３０％以上であれば、完全に無色透明である必要はない。全光線透過率が３０％以上であれば、クリアトナーが色を含んでいてもよい。全光線透過率は、ＪＩＳ  Ｋ７３６１−１、ＩＳＯ１３４６８−１の全光線透過率試験法にしたがって、トナーを調製して得たサンプルに光源としてのハロゲンランプから放射された可視光を照射して測定される透過率である。
【００１４】
ここで、第１の実施形態に係る印刷物１００の作用について説明する。図２は、第１の実施形態に係る印刷物１００の作用を示す模式図である。印刷物１００に光１０が照射されると、光１０の一部は第１の領域１３１により反射され、他の一部は第１の有彩色領域１２１により反射され、他の一部は第２の有彩色領域１２２により反射される。本実施形態では、第２の領域１３２における第２の単位面積あたりのクリアトナーの量ｔ２がゼロであるため、第２の領域１３２による反射は生じない。従って、入射角度にもよるが、第１の領域１３１に入射してきた光の大部分は、第１の領域１３１及び第１の有彩色領域１２１により反射される。第１の有彩色領域１２１からの正反射光２１には、第１の有彩色領域１２１の有彩色が含まれ、第１の領域１３１からの正反射光３１は光１０と同等の明るさを有する。このため、高光沢で第１の有彩色領域１２１の有彩色を含む正反射光を得ることができる。一方、第２の領域１３２に入射してきた光は第２の領域１３２によっては反射されず、入射角度にもよるが、その大部分が第２の有彩色領域１２２により反射される。第２の有彩色領域１２２からの正反射光２２には、第２の有彩色領域１２２の有彩色が含まれ、本実施形態では、第２の有彩色領域１２２の彩度Ｓ２が第１の有彩色領域１２１の彩度Ｓ１より高い。このため、第２の有彩色領域１２２の高彩度の有彩色を含む正反射光を得ることができる。
【００１５】
そして、本実施形態では、第１の有彩色領域１２１及び第２の有彩色領域１２２が互いに隣接し、第１の領域１３１及び第２の領域１３２が第１の有彩色領域１２１及び第２の有彩色領域１２２に倣って互いに隣接している。このため、人間の視覚には、印刷物１００からの正反射光４０が高光沢及び高彩度を両立しているように感じられる。
【００１６】
印刷物１００によれば、このような作用により、高い光沢を得ながら、高い彩度を得ることができ、金属色の質感を擬似的に良好に表現することができる。
【００１７】
なお、本実施形態では、第２の領域１３２がクリアトナーの第２の単位面積あたりの量ｔ２がゼロである領域であるが、第２の領域１３２の第２の単位面積あたりのクリアトナーの量ｔ２が第１の領域１３１の第１の単位面積あたりのクリアトナーの量ｔ１より小さければ、第２の領域１３２におけるクリアトナーの第２の単位面積あたりの量ｔ２はゼロでなくてもよい。例えば、第２の領域１３２が第１の領域１３１の１０％以下の単位面積あたりのクリアトナーの量を有していてもよい。第２の領域１３２におけるクリアトナーの第２の単位面積あたりの量ｔ２がゼロでない場合でも、第２の領域１３２による反射は第１の領域１３１による反射よりも弱く、第２の有彩色領域１２２による反射が第１の有彩色領域１２１による反射よりも強いため、高い彩度を得ることができる。
【００１８】
また、本実施形態では、第２の有彩色領域１２２の彩度Ｓ２が第１の有彩色領域１２１の彩度Ｓ１より高いが、これらが互いに同等であってもよい。これらが同等の場合でも、第２の有彩色領域１２２による反射が第１の有彩色領域１２１による反射よりも強いため、高い彩度を得ることができる。
【００１９】
第１の領域１３１及び第２の領域１３２は一定の周期で配列していることが好ましい。人間の視覚をして色むらを感じにくくするためである。
【００２０】
第１の領域１３１の面積は第２の領域１３２の面積より大きいことが好ましい。金属光沢の特徴の一つである光沢を高めるためである。第１の領域１３１と第２の領域１３２との面積比は特に限定されないが、例えば２：１である。面積比が３：１、３：２又は１：１等であってもよい。
【００２１】
印刷物１００の解像度は特に限定されないが、３００ｄｐｉ以上であることが好ましく、６００ｄｐｉ以上であることがより好ましい。人間の視覚において、各領域からの正反射光を区別しにくくするためである。
【００２２】
（第２の実施形態）
次に、第２の実施形態について説明する。第２の実施形態は、印刷物の製造方法に関する。図３は、第２の実施形態により製造しようとする印刷物の概要を示す模式図である。図４は、第２の実施形態に係る印刷物の製造方法を示すフローチャートである。図５Ａ〜図５Ｆは、第２の実施形態に係る印刷物の製造方法を工程順に示す模式図である。
【００２３】
図３に示すように、第２の実施形態により製造しようとする印刷物は賞状２００であり、この賞状２００は、文字領域２１０及びその周囲の縁部２２０を含む。縁部２２０には、動植物等の装飾用の図柄が金色で描かれる。ここでは、一例として、６００ｄｐｉの解像度で印刷物を製造することとする。図５Ａ〜図５Ｆには、印刷物の一部の一例として、縁部２２０の図柄に含まれる矩形の範囲を示す。
【００２４】
第２の実施形態では、まず、図５Ａに示すように、記録媒体２５０上で有彩色の金属光沢を表現する金属光沢領域の範囲及び色を特定する（ステップＳ２１０）。例えば、装飾用の図柄の範囲２５１を特定し、その色として金色を特定する。金色の図柄を描く場合、例えば、「Ｃ：０％、Ｍ：１２％、Ｙ：５７％、Ｋ：６％、ＣＬ：１００％」を設定する。ここで、「ＣＬ」はクリアの階調値である。
【００２５】
次いで、印刷データを作成する（ステップＳ２２０）。
【００２６】
印刷データの作成では、まず、金色を構成する有彩色成分（Ｃ、Ｍ及びＹ）のうちからＹを選択する（ステップＳ２２１）。Ｙ以外の有彩色成分を選択してもよいが、Ｃ、Ｍ及びＹのうちで最も金の光沢色に近いＹを選択することが好ましい。Ｋは無彩色であるため、選択の対象外である。図５Ｂに示すように、Ｙのパターン２６０は、範囲２５１と一致する。
【００２７】
次いで、Ｙのパターン２６０を２値化する（ステップＳ２２２）。ここでは、図５Ｃに示すように、Ｙの階調値が０％の部分２６１とＹの階調値が１００％の部分２６２との面積比を２：１とすることを前提に、暫定的にＹの階調値を３３％に変更したうえで、２値化処理を行ってＹの２値化パターン２６３を作成する。Ｙの０％の階調値は第１の値の一例であり、Ｙの１００％の階調値は第２の値の一例である。部分２６１と部分２６２との面積比を３：１、３：２又は１：１等としてもよい。
【００２８】
次いで、図５Ｄに示すように、ＣＬの階調値の部分２６２と重なる部分２７２の階調値を１００％から０％に変更し、ＣＬの階調値の部分２６１と重なる部分２７１の階調値は１００％のままとする。このようにして、部分２６１と重なる部分２７１に１００％のクリア階調値を設定し、部分２６２と重なる部分２７２に０％のクリア階調値を設定したクリアトナー層用データが作成される（ステップＳ２２３）。
【００２９】
次いで、図５Ｅに示すように、部分２６１のＹの階調値を０％から３６％へと変更する。平面視で有彩色トナー層１２０の２／３を第１の有彩色領域１２１とし、１／３を第２の有彩色領域１２２とし、第２の有彩色領域１２２のＹの階調値を１００％としながら、金属光沢領域全体におけるＹの階調値の平均値を２値化前の階調値に近づけるためである。すなわち、２値化を行ったままであると、金属光沢領域全体におけるＹの階調値の平均値は３３％であるが、階調値を３６％と変更することでＹの階調値の平均値を約５７％とすることができる。このようにして、Ｙの金属光沢領域全体における階調値の平均値が２値化の前の階調値に近づくように変更した有彩色トナー層用データが作成される（ステップＳ２２４）。平均値を２値化前の階調値に近づけるためだけであれば、部分２６１の階調値を変更せずに部分２６２の階調値を変更してもよく、部分２６１及び部分２６２の両方の階調値を変更してもよい。ただし、高彩度を得ながら平均値を２値化前の階調値に近づけるためには、暫定的に０％とした部分２６１の階調値のみを変更することが好ましい。
【００３０】
このようにして、印刷データが作成される（ステップＳ２２０）。なお、ステップＳ２２１で選択したＹ以外の有色（Ｃ、Ｍ及びＫ）については、ステップＳ２１０で特定された階調値をそのまま用いる。従って、この印刷データにおいて、第１の有彩色領域１２１の階調値は「Ｃ：０％、Ｍ：１２％、Ｙ：３６％、Ｋ：６％」であり、第２の有彩色領域１２２の階調値は「Ｃ：０％、Ｍ：１２％、Ｙ：１００％、Ｋ：６％」である。また、第１の領域１３１の階調値は「ＣＬ：１００％」であり、第２の領域１３２の階調値は「ＣＬ：０％」である。
【００３１】
印刷データの作成の後、画像形成装置を用いて、印刷データに基づいて、記録媒体２５０上に有彩色トナー層を形成し（ステップＳ２３１）、有彩色トナー層上にクリアトナー層を形成する（ステップＳ２３２）。この結果、図５Ｆに示すように、第１の有彩色領域１２１と第１の領域１３１とが重なった領域２８１及び第２の有彩色領域１２２と第２の領域１３２とが重なった領域２８２からなる図柄２８３が記録媒体２５０上に印刷される（ステップＳ２３０）。
【００３２】
このようにして、印刷物を製造することができる。そして、記録媒体２５０上に形成された図柄２８３は擬似的に金色の金属光沢を表現することができる。
【００３３】
なお、２値化パターンは１方向に２種類の領域が並ぶパターンに限定されず、互いに直行する２方向に２種類の領域が並ぶパターンであってもよい。すなわち、２値化パターンが格子状のパターンであってもよい。
【００３４】
（第３の実施形態）
次に、第３の実施形態について説明する。第３の実施形態は、第２の実施形態に係る印刷物の製造方法の実施に好適な画像形成装置に関する。図６は、第３の実施形態に係る画像形成装置のハードウェア構成を示すブロック図である。
【００３５】
第３の実施形態に係る画像形成装置３００は、例えば、ＣＰＵ（Central Processing Unit）３０１、ＲＡＭ（Random Access Memory）３０２、ＲＯＭ（Read Only Memory）３０３、ストレージ部３０４、ネットワークＩ／Ｆ３０５、操作部３０６、スキャナ３０７、プリンタ３０８、画像メモリ３０９、無線通信装置３１０及びバス３１１を有する。
【００３６】
ＣＰＵ３０１は、ＲＯＭ３０３やストレージ部３０４等に格納されたプログラムやデータをＲＡＭ３０２上に読み出し、処理を実行することで、画像形成装置３００の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持することができる不揮発性のメモリである。
【００３７】
ストレージ部３０４は、例えば、ＨＤＤ（Hard Disk Drive）や、ＳＳＤ（Solid State Drive)等の大容量の記憶装置であり、ＯＳ（Operation System）、アプリケーションプログラム、各種のデータ等を記憶する。ネットワークＩ／Ｆ３０５は、画像形成装置３００をネットワークに接続するための通信インタフェースである。操作部３０６は、例えば、利用者の入力操作を受け付ける入力デバイスと、液晶表示装置（Liquid Crystal Display：ＬＣＤ）等の表示デバイスとを兼ねるタッチパネル等の表示入力部である。
【００３８】
スキャナ３０７は、原稿から画像を読み取り、画像データに変換する読取装置である。プリンタ３０８は、画像データを印刷する印刷装置である。画像メモリ３０９は、画像の読取り、印刷、コピー等における画像処理で作業領域として用いるメモリである。
【００３９】
無線通信装置３１０は、例えば、無線ＬＡＮ（Local Area Network）、無線ＰＡＮ（Personal Area Network）、赤外線通信、音波通信等の無線通信により、コンピュータ、携帯電話等と通信を行う通信装置である。バス３１１は、上記の各構成要素に接続され、アドレス信号、データ信号、及び各種制御信号等を伝送する。
【００４０】
次に、画像形成装置３００の機能構成について説明する。上記のように、ＣＰＵ３０１は、ＲＯＭ３０３やストレージ部３０４等に格納されたプログラムやデータをＲＡＭ３０２上に読み出し、処理を実行することで、画像形成装置３００の各機能を実現する。図７は、第３の実施形態に係る画像形成装置３００の機能構成を示す図である。画像形成装置３００は、図７に示すように、取得部３５１、印刷データ作成部３５２及び印刷部３５３を含む。
【００４１】
取得部３５１は、記録媒体上で有彩色の金属光沢を表現する金属光沢領域の範囲及び色を示す入力データを取得する。入力データは、ネットワークＩ／Ｆ又は無線通信装置３１０を介して取得することができる。画像形成装置３００に外部記録媒体用のスロットを設けておき、ＩＣカード、フレキシブルディスク、ＣＤ、ＤＶＤ、ＳＤメモリカード、ＵＳＢメモリ等の外部記録媒体から入力データを取得してもよい。印刷データ作成部３５２は、ステップＳ２２０に沿って、画像メモリ３０９等を用いて印刷データを作成する。印刷部３５３は、ステップＳ２３０に沿って、プリンタ３０８等を用いて印刷を行う。
【００４２】
取得部３５１が取得する入力データが準備されれば、画像形成装置３００は第２の実施形態に係る印刷物の製造方法と同様の処理を行い、金属色の質感を擬似的に表現した印刷物を製造することができる。
【００４３】
なお、金属光沢領域の色は金色に限定されず、銅色、青銅色等であってもよい。例えば、銅色は赤みがかっているため、銅色の質感を擬似的に表現する場合は、ベース色におけるマゼンダの割合を高くし、階調値の２値化の対象とする有彩色成分をマゼンダとする。また、表現しようとする色によっては、階調値の２値化の対象とする有彩色成分を２種以上としてもよい。
【００４４】
また、クリアトナー層に、単位面積あたりのクリアトナーの量が異なる３以上の領域が含まれていてもよく、有彩色トナー層に彩度が異なる３以上の領域が含まれていてもよい。この場合、クリアトナー層における単位面積あたりのクリアトナーの量は、有彩色トナー層の彩度が高い領域と重なる領域ほど少ないことが好ましく、第１の実施形態と同様に、最も彩度が高い領域と重なる領域は、クリアトナーの単位面積あたりの量がゼロの領域であることが好ましい。なお、この場合の単位面積あたりのクリアトナーの量はそれぞれ、対応する領域の面積で、その領域のクリアトナーの量を割った量である。
【００４５】
なお、これらの実施形態では光沢性を有する透明材料としてクリアトナーが用いられ、有色色材として有彩色トナーが用いられているが、本発明において、色材はトナーに限定されない。例えば、本発明において、インク等の色材が用いられてもよい。
【符号の説明】
【００４６】
１０  光
２１、３１、３２、４０  正反射光
１００  印刷物
１１０  記録媒体
１２０  有彩色トナー層
１２１  第１の有彩色領域
１２２  第２の有彩色領域
１３０  クリアトナー層
１３１  第１の領域
１３２  第２の領域
２００  賞状
２１０  文字領域
２２０  縁部
２５０  記録媒体
２５１  金属光沢領域の範囲
２６０  Ｙのパターン
２６１、２６２  部分
２６３  ２値化パターン
２７１、２７２  部分
２８１、２８２  領域
２８３  矩形の図柄
３００  画像形成装置
３５１  取得部
３５２  印刷データ作成部
３５３  印刷部
【先行技術文献】
【特許文献】
【００４７】
【特許文献１】特開２０１６−０６６８３０号公報
【図１Ａ】
2019104240.tif 000003
【図１Ｂ】
2019104240.tif 000004
【図２】
2019104240.tif 000005
【図３】
2019104240.tif 000006
【図４】
2019104240.tif 000007
【図５Ａ】
2019104240.tif 000008
【図５Ｂ】
2019104240.tif 000009
【図５Ｃ】
2019104240.tif 000010
【図５Ｄ】
2019104240.tif 000011
【図５Ｅ】
2019104240.tif 000012
【図５Ｆ】
2019104240.tif 000013
【図６】
2019104240.tif 000014
【図７】
2019104240.tif 000015